(57)【要約】【課題】１つの押圧操作部材で蓋体の開動作と閉動作とを操作できる開閉装置を提供すること。【解決手段】開閉装置を、蓋体３と、押圧操作部材４と、第１伝達部材１と、第２伝達部材２と、駆動手段とで構成し、第１伝達部材１と第２伝達部材２とを押圧操作部材４の移動領域内に交互に配置されるようにする。そして、押圧操作部材４が第１伝達部材１を押圧すると駆動手段が蓋体３を開動作させるとともに第２伝達部材２を押圧操作部材４の移動領域内に移動させ、押圧操作部材４が第２伝達部材２を押圧すると駆動手段が蓋体３を閉動作させるとともに第１伝達部材１を押圧操作部材４の移動領域内に移動させるようにする。【選択図】図２
2009143375.tif 000002
【特許請求の範囲】
【請求項１】
収容空間を持つケース体に取り付けられ、該収容空間を開く開位置と該収容空間を閉じる閉位置との間を移動する蓋体と、
該ケース体に対して往復移動可能に取り付けられている押圧操作部材と、
少なくとも一部が該押圧操作部材の移動領域内に配置される出位置と、全体が該押圧操作部材の移動領域外に配置される入位置と、の間を移動する第１伝達部材および第２伝達部材と、
該蓋体と該第１伝達部材と該第２伝達部材とに接続されている駆動手段と、を持ち、
該駆動手段は、該第１伝達部材の該出位置から該入位置への移動に伴って該蓋体を該閉位置から該開位置に移動させるとともに該第２伝達部材を該入位置から該出位置に移動させ、該第２伝達部材の該出位置から該入位置への移動に伴って該蓋体を該開位置から該閉位置に移動させるとともに該第１伝達部材を該入位置から該出位置に移動させ、
該第１伝達部材と該第２伝達部材とは、該押圧操作部材によって交互に押圧されて該出位置から該入位置に移動することを特徴とする開閉装置。
【請求項２】
前記駆動手段は、
前記蓋体に接続され、前記蓋体を開位置に移動させる開駆動位置と、前記蓋体を閉位置に移動させる閉駆動位置と、の間を移動する蓋駆動部材と、
ターンオーバースプリングからなり、一端が前記ケース体に固定されるとともに他端が該蓋駆動部材にスライド可能に係合して、該蓋駆動部材を該開駆動位置に付勢する開付勢位置と、該蓋駆動部材を該閉駆動位置に付勢する閉付勢位置と、の間を移動する第１付勢部材と、
前記第１伝達部材に接続されている第１連絡部材と、
前記第２伝達部材に接続されている第２連絡部材と、を持ち、
該第１連絡部材は、前記第１伝達部材が前記出位置から前記入位置に移動する際に該第１付勢部材を押圧して該第１付勢部材を該閉付勢位置から該開付勢位置に移動させ、
該第２連絡部材は、前記第２伝達部材が前記出位置から前記入位置に移動する際に該第１付勢部材を押圧して該第１付勢部材を該開付勢位置から該閉付勢位置に移動させ、
該第１付勢部材は、該開付勢位置から該閉付勢位置に移動する際に該第１連絡部材を押圧して該第１連絡部材に接続されている前記第１伝達部材を前記出位置に付勢し、該閉付勢位置から該開付勢位置に移動する際に該第２連絡部材を押圧して該第２連絡部材に接続されている前記第２伝達部材を前記出位置に付勢する請求項１に記載の開閉装置。
【請求項３】
前記駆動手段は、ターンオーバースプリングからなり一端が前記第１伝達部材に固定され他端が前記第２伝達部材に固定されている第２付勢部材を持ち、
前記第１連絡部材は前記第１伝達部材に枢支され、
前記第２連絡部材は前記第２伝達部材に枢支され、
該第２付勢部材は、前記第１伝達部材を前記出位置に付勢するとともに前記第２伝達部材を前記入位置に付勢する第１出付勢位置と、前記第１伝達部材を前記入位置に付勢するとともに前記第２伝達部材を前記出位置に付勢する第２出付勢位置と、の間を移動する請求項２に記載の開閉装置。
【請求項４】
前記駆動手段は、長溝状の第１案内溝および第２案内溝を持つ案内部材を持ち、
前記第１伝達部材は、前記第１連絡部材を枢支する枢支軸とは異なる位置に形成され該第１案内溝にスライド可能に係合している第１案内ピンを持ち、
前記第２伝達部材は、前記第２連絡部材を枢支する枢支軸とは異なる位置に形成され該第２案内溝にスライド可能に係合している第２案内ピンを持ち、
前記第１伝達部材と前記第２伝達部材とは、該第１案内溝と該第１案内ピンとが係合し該第２案内溝と該第２案内ピンとが係合することで相対的に位置決めされている請求項２または請求項３に記載の開閉装置。
【請求項５】
前記案内部材は前記ケース体に枢支されている請求項４に記載の開閉装置。
【発明の詳細な説明】
【技術分野】
【０００１】
本発明は、収容空間を持つケース本体に取り付けられ、収容空間を開閉する蓋体と、蓋体を開閉するための開閉手段と、を持つ開閉装置に関する。
【背景技術】
【０００２】
開閉装置は、自動車のコンソールボックス等に代表される収容装置に配設される装置である。開閉装置は、収容装置の一部を構成するケース本体の収容空間を開閉する。この種の開閉装置としては、従来より種々のものが知られている。開閉装置には、蓋体を開閉動作させるための開閉手段を設けるのが一般的である（例えば、特許文献１参照）。
【０００３】
特許文献１に紹介されている従来の開閉装置は、蓋体と、蓋体を開閉動作させる為の開閉手段を持つ。この開閉手段は、蓋体を開操作するための押圧操作部材（開釦）と、蓋体を閉操作するための押圧操作部材（閉釦）とを持つ。開釦と閉釦とは別体である。このためこの種の開閉装置によると、ユーザーが手探りで開閉操作し難い問題があった。また、２つの押圧操作部材を設けることで、収容装置の意匠性が悪くなる問題もあった。さらに、２つの押圧操作部材を設けることで開閉装置が大型化し、開閉装置を配設するために広い空間を必要とする問題もあった。
【特許文献１】特開２００２−３６２２３７号公報
【発明の開示】
【発明が解決しようとする課題】
【０００４】
本発明は上記事情に鑑みて成されたものであり、１つの押圧操作部材で蓋体の開動作と閉動作とを操作できる開閉装置を提供することを目的とする。
【課題を解決するための手段】
【０００５】
上記課題を解決する本発明の開閉装置は、収容空間９３を持つケース体９０に取り付けられ、収容空間９３を開く開位置と収容空間９３を閉じる閉位置との間を移動する蓋体３と、ケース体９０に対して往復移動可能に取り付けられている押圧操作部材４と、少なくとも一部が押圧操作部材４の移動領域内に配置される出位置と、全体が押圧操作部材４の移動領域外に配置される入位置と、の間を移動する第１伝達部材１および第２伝達部材２と、蓋体３と第１伝達部材１と第２伝達部材２とに接続されている駆動手段と、を持ち、駆動手段は、第１伝達部材１の出位置から入位置への移動に伴って蓋体３を閉位置から開位置に移動させるとともに第２伝達部材２を入位置から出位置に移動させ、第２伝達部材２の出位置から入位置への移動に伴って蓋体３を開位置から閉位置に移動させるとともに第１伝達部材１を入位置から出位置に移動させ、第１伝達部材１と第２伝達部材２とは、押圧操作部材４によって交互に押圧されて出位置から入位置に移動することを特徴とする。
【０００６】
本発明の開閉装置は、下記の構成（１）〜（４）の何れかを備えるのが好ましい。構成（１）〜（４）の複数を備えるのがさらに好ましい。
【０００７】
（１）上記駆動手段は、上記蓋体３に接続され、上記蓋体３を開位置に移動させる開駆動位置と、上記蓋体３を閉位置に移動させる閉駆動位置と、の間を移動する蓋駆動部材５と、ターンオーバースプリングからなり、一端が上記ケース体９０に固定されるとともに他端が蓋駆動部材５にスライド可能に係合して、蓋駆動部材を開駆動位置に付勢する開付勢位置と、蓋駆動部材を閉駆動位置に付勢する閉付勢位置と、の間を移動する第１付勢部材６１と、上記第１伝達部材１に接続されている第１連絡部材７１と、上記第２伝達部材２に接続されている第２連絡部材７２と、を持ち、第１連絡部材７１は、上記第１伝達部材１が上記出位置から上記入位置に移動する際に第１付勢部材６１を押圧して第１付勢部材６１を閉付勢位置から開付勢位置に移動させ、第２連絡部材７２は、上記第２伝達部材２が上記出位置から上記入位置に移動する際に第１付勢部材６１を押圧して第１付勢部材６１を開付勢位置から閉付勢位置に移動させ、第１付勢部材６１は、開付勢位置から閉付勢位置に移動する際に第１連絡部材７１を押圧して第１連絡部材７１に接続されている上記第１伝達部材１を上記出位置に付勢し、閉付勢位置から開付勢位置に移動する際に第２連絡部材７２を押圧して第２連絡部材７２に接続されている上記第２伝達部材２を上記出位置に付勢する。
【０００８】
（２）上記駆動手段は、ターンオーバースプリングからなり一端が上記第１伝達部材１に固定され他端が上記第２伝達部材２に固定されている第２付勢部材６２を持ち、上記第１連絡部材７１は上記第１伝達部材１に枢支され、上記第２連絡部材７２は上記第２伝達部材２に枢支され、第２付勢部材６２は、上記第１伝達部材１を上記出位置に付勢するとともに上記第２伝達部材２を上記入位置に付勢する第１出付勢位置と、上記第１伝達部材１を上記入位置に付勢するとともに上記第２伝達部材２を上記出位置に付勢する第２出付勢位置と、の間を移動する。
【０００９】
（３）上記駆動手段は、長溝状の第１案内溝８１および第２案内溝８２を持つ案内部材８を持ち、上記第１伝達部材１は、上記第１連絡部材７１を枢支する枢支軸とは異なる位置に形成され第１案内溝８１にスライド可能に係合している第１案内ピン１０を持ち、上記第２伝達部材２は、上記第２連絡部材７２を枢支する枢支軸とは異なる位置に形成され第２案内溝８２にスライド可能に係合している第２案内ピン２０を持ち、上記第１伝達部材１と上記第２伝達部材２とは、第１案内溝８１と第１案内ピン１０とが係合し第２案内溝８２と第２案内ピン２０とが係合することで相対的に位置決めされている。
【００１０】
（４）上記案内部材８は上記ケース体９０に枢支されている。
【発明の効果】
【００１１】
本発明の開閉装置は、押圧操作部材と第１伝達部材と第２伝達部材と駆動手段との協働によって、第１伝達部材と第２伝達部材とを交互に出位置に配置できる。このため１つの押圧操作部材を操作することで、第１伝達部材と第２伝達部材とを交互に押圧して出位置から入位置に移動させることができる。駆動手段は、第１伝達部材の出位置から入位置への移動に伴って、蓋体を閉位置から開位置に移動させる。また、駆動手段は、第２伝達部材の出位置から入位置への移動に伴って、蓋体を開位置から閉位置に移動させる。よって、本発明の開閉装置によると、１つの押圧操作部材で蓋体を開閉操作できる。
【００１２】
また、本発明の開閉装置によると、押圧操作部材の動作を第１伝達部材および第２伝達部材に信頼性高く伝達でき、蓋体を信頼性高く開閉操作できる。
【００１３】
例えば、第１伝達部材および第２伝達部材と押圧操作部材との間にリンク部材を介在させ、このリンク部材を押圧操作部材の移動に伴って移動させて第１伝達部材と第２伝達部材とを交互に押圧することでも、１つの押圧操作部材で蓋体を開閉操作できる。しかしこの場合には、押圧操作部材への押圧力はリンク部材を介して第１伝達部材および第２伝達部材に伝達する。このため、リンク部材、第１伝達部材および第２伝達部材が寸法精度に劣る場合や、リンク部材、第１伝達部材および第２伝達部材の形状や組付位置などによっては、押圧操作部材に加わった力を第１伝達部材および第２伝達部材に信頼性高く伝達し難い場合がある。
【００１４】
一方、本発明の開閉装置は蓋体を開操作するための第１伝達部材と、蓋体を閉操作するための第２伝達部材とを、押圧操作部材の移動領域内に交互に配置することで、蓋体を開閉操作する。このため、押圧操作部材に加わった力は、第１伝達部材および第２伝達部材に直接伝達する。よって、本発明の開閉装置によると、押圧操作部材に加わった力を第１伝達部材および第２伝達部材に信頼性高く伝達でき、蓋体を信頼性高く開閉操作できる。
【００１５】
本発明の開閉装置が上記構成（１）を備える場合には、駆動手段を簡単な構成にでき、蓋体を信頼性高く開閉操作できる開閉装置を安価に製造できる利点がある。
【００１６】
本発明の開閉装置が上記構成（２）を備える場合には、第１伝達部材および第２伝達部材の移動領域を小さくでき、蓋体を信頼性高く開閉操作できる開閉装置を小型化できる利点がある。
【００１７】
本発明の開閉装置が上記構成（３）を備える場合には、第１伝達部材および第２伝達部材を精度高く位置決めでき、蓋体をさらに信頼性高く開閉操作できる。
【００１８】
本発明の開閉装置が上記構成（４）を備える場合には、第１伝達部材および第２伝達部材をさらに精度高く位置決めでき、蓋体をさらに信頼性高く開閉操作できる。
【発明を実施するための最良の形態】
【００１９】
以下、本発明の開閉装置を図面を基に説明する。
（実施例１）
実施例１の開閉装置は、自動車のコンソールボックスに配設されるものである。実施例１の開閉装置は、上記構成（１）〜（４）を備える。実施例１の開閉装置の主要構成部材を模式的に表す分解斜視図を図１に示す。実施例１の開閉装置の動作を模式的に表す説明図を図２〜図８に示す。以下、実施例において上、下、左、右、前、後とは図１に示す上、下、左、右、前、後を指す。また、実施例において時計回り、反時計回りとは、図１における時計回り、反時計回りを指す。
【００２０】
実施例１の開閉装置は、第１伝達部材１と、第２伝達部材２と、蓋体３と、押圧操作部材４と、駆動手段と、を持つ。
【００２１】
駆動手段は、蓋駆動部材５と、第１付勢部材６１と、第２付勢部材６２と、第１連絡部材７１と、第２連絡部材７２と、案内部材８と、を持つ。
【００２２】
図１に示すように、コンソールボックスはケース体９０を持つ。ケース体９０は上方に開口する箱状をなす。ケース体９０の側壁は、内周側壁９１と外周側壁９２との２重構造になっている。収容空間９３は内周側壁９１の内側に形成されている。
【００２３】
実施例１の開閉装置における蓋体３は、第１蓋体３１と第２蓋体３２とからなる。第１蓋体３１および第２蓋体３２は、ケース体９０の長手方向（前後方向）に延設されている。第１蓋体３１は左側に配置され、第２蓋体３２は右側に配置されている。第１蓋体３１は、長尺板状をなす蓋本体３３と、蓋本体３３の長手方向の２端部に形成されている脚部３５とを持つ。第２蓋体３２も同様に、蓋本体３４と脚部３６とを持つ。第１蓋体３１の脚部３５および第２蓋体３２の脚部３６は、ケース体９０に枢支されている。第１蓋体３１および第２蓋体３２は回動して、蓋本体３３、３４が収容空間９３を閉じる閉位置（図２）と、蓋本体３３、３４が内周側壁９１と外周側壁９２との間に収容されて収容空間９３を開く開位置（図６）との間を移動する。
【００２４】
第２蓋体３２の２つの脚部３６（第２前脚部３６０、第２後脚部３６１）の下端部はギヤ状をなす。第１蓋体３１の後側の脚部３５（第１後脚部３５１）の下端部もまたギヤ状をなす。図３に示すように、第２蓋体３２の第２後脚部３６１と、第１蓋体３１の第１後脚部３５１とは、２つの蓋接続ギヤ３７０、３７１を介して接続されている。また、第２蓋体３２の第２後脚部３６１には、第１蓋体３１および第２蓋体３２を緩やかに回動させるためのダンパ３７２が接続されている。
【００２５】
ケース体９０には、略板状の２つのベース体（上側ベース体９５、下側ベース体９６）が固定されている。上側ベース体９５は、内周側壁９１の前面上側に固定されている。下側ベース体９６は、内周側壁９１の前面下側に固定されている。
【００２６】
上側ベース体９５の上部には、枠状の操作保持部９５０が形成されている。操作保持部９５０は上方に向けて開口する枠状をなす。操作保持部９５０の下壁には貫通孔が形成されている。押圧操作部材４は、略柱状の押圧端４０と押圧端４０から延びる略柱状の脚部４１とを持つ。脚部４１は操作保持部９５０に収容されている。また、脚部４１の先端部分は操作保持部９５０の貫通孔に挿通されている。押圧操作部材４は、操作保持部９５０に案内されつつ、押圧端４０が操作保持部９５０の上方に張り出す押圧開始位置（図２）と、押圧端４０が操作保持部９５０の内部に引っ込む押圧停止位置（図５）との間を上下にスライド移動する。押圧端４０の下側部分と操作保持部９５０との間には図略の第３付勢部材が介在している。第３付勢部材は巻きバネからなり、押圧操作部材４を押圧開始位置に付勢する。
【００２７】
図１に示すように、第１伝達部材１および第２伝達部材２は、それぞれ、略棹状をなす。第１伝達部材１の上側部分と第２伝達部材２の上側部分とは、後述する案内部材８に内装されている。第１伝達部材１の略中央部には、後述する第１連絡部材７１に枢支される枢支軸が形成されている。第１伝達部材１の上側部分には、前方に突起する第１案内ピン１０が取り付けられている。第１伝達部材１の下側部分は、右方に屈曲し、その先端部分にはターンオーバースプリングからなる第２付勢部材６２の一端が固着されている。第２伝達部材２の略中央部には、後述する第２連絡部材７２に枢支される枢支軸が形成されている。第２伝達部材２の上側部分には、後方に突起する第２案内ピン２０が取り付けられている。第２伝達部材２の下側部分は、左方に屈曲し、その先端部分にはターンオーバースプリングからなる第２付勢部材６２の他端が固着されている。第２付勢部材６２は、第１伝達部材１を出位置に付勢するとともに第２伝達部材２を入位置に付勢する第１出付勢位置（図２）と、第１伝達部材１を入位置に付勢するとともに第２伝達部材２を出位置に付勢する第２出付勢位置（図６）と、の間を移動する。
【００２８】
案内部材８は上側ベース体９５に枢支されている。図１に示すように、案内部材８は略枠状をなす。案内部材８の前壁および後壁には、それぞれ、長溝状をなす第１案内溝８１および第２案内溝８２が形成されている。第１案内溝８１は、案内部材８の前壁および後壁の左部分に形成されている。第２案内溝８２は、案内部材８の前壁および後壁の右部分に形成されている。第１案内溝８１は、一端部が上方に延び他端部が左方に延びる略Ｌ字状をなす。第２案内溝８２は第１案内溝８１と線対称な略Ｌ字状をなす。案内部材８の前壁に形成されている第１案内溝８１には、第１伝達部材１の第１案内ピン１０が挿入されている。第１案内ピン１０は、第１案内溝８１にスライド可能に係合している。案内部材８の後壁に形成されている第２案内溝８２には、第２伝達部材２の第２案内ピン２０が挿入されている。第２案内ピン２０は、第２案内溝８２にスライド可能に係合している。また、案内部材８の左壁と右壁とには、それぞれ、上方に延びる案内ストッパ８３が形成されている。
【００２９】
図１に示すように、第１連絡部材７１と第２連絡部材７２とは、それぞれ略腕状をなす。第１連絡部材７１の上端右側部分と第２連絡部材７２の上端左側部分とは、上側ベース体９５に枢支されている。図２に示すように、第１連絡部材７１の左上部分には、第１伝達部材１が枢支されている。第１連絡部材７１の下部分は右方に湾曲している。第２連絡部材７２の右上部分には、第２伝達部材２が枢支されている。第２連絡部材７２の下部分は左方に湾曲している。第１連絡部材７１の湾曲端面（第１押圧面７１０）と第２連絡部材７２の湾曲端面（第２押圧面７２０）とは、互いに対向しつつ離間している。
【００３０】
蓋駆動部材５は、扇状をなすギヤ部５０と、扇状をなす入力部５１とを持つ。入力部５１とギヤ部５０とは同軸的に一体化され、下側ベース体９６に枢支されている。ギヤ部５０は第２蓋体３２の第２前脚部３６０の下端部と噛合する。ギヤ部５０には、弧状をなす駆動ガイド溝５００が形成されている。駆動ガイド溝５００には、ケース体９０の内周側壁９１に形成されている突起状のストッパ５２が挿通されている。入力部５１には直線状に延びる長溝５１０が形成されている。
【００３１】
蓋駆動部材５は、枢支軸を中心として、駆動ガイド溝５００の一端壁がストッパ５２と係合する開駆動位置（図６）と、駆動ガイド溝５００の他端壁がストッパ５２と係合する閉駆動位置（図２）との間を回動する。また、蓋駆動部材５が回動する際の長溝５１０の軌跡は、第１連絡部材７１が回動する際の第１押圧面７１０の軌跡、および、第２連絡部材７２が回動する際の第２押圧面７２０の軌跡と交叉し、一部で交わっている。
【００３２】
入力部５１の長溝５１０には、ターンオーバースプリングからなる第１付勢部材６１の一端（スライド端部６１０）が挿通されている。スライド端部６１０の先端は、長溝５１０の前側に露出している。第１付勢部材６１の他端（回動端部６１１）は内周側壁９１に枢支されている。第１付勢部材６１は、回動端部６１１を中心に、蓋駆動部材５を開駆動位置に付勢する開付勢位置（図６）と、蓋駆動部材５を閉駆動位置に付勢する閉付勢位置（図２）と、の間を移動する。スライド端部６１０は、第１連絡部材７１の第１押圧面７１０と第２連絡部材７２の第２押圧面７２０との間に配置されている。
【００３３】
実施例１の開閉装置は、以下のように動作する。
【００３４】
（１．蓋体の開操作）
図２に示すように、第１蓋体３１および第２蓋体３２が閉位置に配置され、押圧操作部材４が押圧開始位置に配置されている時には、第１伝達部材１は出位置に配置され、第２伝達部材２は入位置に配置されている。第１伝達部材１の下側先端部分は、第２伝達部材２の下側先端部分よりも上方に配置されている。また、蓋駆動部材５は閉駆動位置に配置され、第１付勢部材６１は閉付勢位置に配置され、第２付勢部材６２は第１出付勢位置に配置されている。
【００３５】
このとき、押圧操作部材４を下方に押圧すると、図４に示すように、押圧操作部材４の移動領域内に配置されている第１伝達部材１が押圧操作部材４に押圧される。すると、第１伝達部材１は、枢支軸を中心として時計回りに回動しつつ、下方に移動する。このとき、第１伝達部材１の移動方向は、第１案内ピン１０と第１案内溝８１とによって案内される。
【００３６】
このとき第２伝達部材２は、押圧操作部材４の移動領域外に配置されているため、押圧操作部材４に押圧されない。このため、第１伝達部材１の下側先端部分と第２伝達部材２の下側先端部分とが近づき、第２付勢部材６２が圧縮して付勢力を蓄積する。
【００３７】
第１伝達部材１が下方に移動すると、第１伝達部材１に押圧された第１連絡部材７１が枢支軸を中心として反時計回りに回動する。このとき、第１連絡部材７１の第１押圧面７１０は、第１付勢部材６１のスライド端部６１０を右方に押圧する。スライド端部６１０は、蓋駆動部材５（入力部５１）の長溝５１０を右方にスライドする。このため、第１付勢部材６１は圧縮して付勢力を蓄積する。
【００３８】
押圧操作部材４を図４に示す位置よりもさらに下方に押圧すると、図５に示すように、第１伝達部材１は、枢支軸を中心としてさらに時計回りに回動しつつ、下方に移動する。第１伝達部材１の下側先端部分と第２伝達部材２の下側先端部分との距離が所定以下になると、第２付勢部材６２は第２出付勢位置に向けて反時計回りに揺動し付勢力を放出する。第２付勢部材６２に付勢された第１伝達部材１は、下側先端部分を下方に向ける。また、第２付勢部材６２に付勢された第２伝達部材２は、下側先端部分を上方に向ける。第１伝達部材１の第１案内ピン１０は第１案内溝８１にスライド可能に係合し、第２伝達部材２の第２案内ピン２０は第２案内溝８２にスライド可能に係合している。このため、第１伝達部材１と第２伝達部材２とは、案内部材８によって相対的に位置決めされつつ移動する。なお、案内部材８は枢支軸を中心に回動して、第１伝達部材１と第２伝達部材２との位置ズレを吸収する。
【００３９】
第１伝達部材１が下方に移動すると、第１伝達部材１に押圧された第１連絡部材７１は、枢支軸を中心として反時計回りにさらに回動する。第１連絡部材７１の第１押圧面７１０は、第１付勢部材６１のスライド端部６１０をさらに右方に押圧する。スライド端部６１０は、第２連絡部材７２の第２押圧面７２０を右方に押圧する。このため、第２連絡部材７２は枢支軸を中心に反時計回りに回動する。すると、第２伝達部材２の枢支軸が上方に移動し、第２伝達部材２は上動する。
【００４０】
スライド端部６１０が所定位置よりも右方に移動すると、第１付勢部材６１は開付勢位置に向けて時計回りに回動し、付勢力を放出する。第１付勢部材６１に付勢された蓋駆動部材５は、枢支軸を中心として反時計回りに回動する。蓋駆動部材５のギヤ部５０は、第２蓋体３２の第２前脚部３６０と噛合している。このため、蓋駆動部材５が反時計回りに回動すると、第２蓋体３２が時計回りに回動する。また、図３に示すように、第１蓋体３１の第１後脚部３５１は、２つの蓋接続ギヤ３７０、３７１を介して第２蓋体３２の第２後脚部３６１と接続されている。このため、第２蓋体３２が時計回りに回動すると、第１蓋体３１が反時計回りに回動する。したがって、第１蓋体３１および第２蓋体３２は、閉位置から開位置に向けて移動する。
【００４１】
第１付勢部材６１に付勢された蓋駆動部材５は、図６に示すように、駆動ガイド溝５００の端壁がストッパ５２と係合すると、回動を停止する。このとき蓋駆動部材５は開駆動位置に配置される。そして、第１蓋体３１および第２蓋体３２は、開位置に配置され、収容空間９３を開く。第１付勢部材６１と第２付勢部材６２とに付勢された第２伝達部材２は、出位置に配置される。押圧操作部材４に押圧され、第２付勢部材６２に付勢された第１伝達部材１は、入位置に配置される。押圧操作部材４は、第３付勢部材に付勢されて、押圧開始位置に移動する。第１伝達部材１の下側先端部分は、第２伝達部材２の下側先端部分よりも下方に配置される。
【００４２】
（２．蓋体の閉操作）
図６に示すように、第１蓋体３１および第２蓋体３２が開位置に配置され、押圧操作部材４が押圧開始位置に配置されている時に、押圧操作部材４を下方に押圧すると、図７に示すように、押圧操作部材４の移動領域内に配置されている第２伝達部材２が、押圧操作部材４に押圧される。第２伝達部材２は、枢支軸を中心として反時計回りに回動しつつ、下方に移動する。このため、第２伝達部材２の下側先端部分と第１伝達部材１の下側先端部分とが近づき、第２付勢部材６２が圧縮して付勢力を蓄積する。
【００４３】
第２伝達部材２が下方に移動すると、第２伝達部材２に押圧された第２連絡部材７２が枢支軸を中心として時計回りに回動する。このとき、第２連絡部材７２の第２押圧面７２０は、第１付勢部材６１のスライド端部６１０を左方に押圧する。したがって、スライド端部６１０は蓋駆動部材５の長溝５１０を左方にスライドし、第１付勢部材６１は圧縮して付勢力を蓄積する。
【００４４】
押圧操作部材４を図７に示す位置よりもさらに下方に押圧すると、図８に示すように、第２伝達部材２はさらに反時計回りに回動しつつ、下方に移動する。第２伝達部材２の下側先端部分と第１伝達部材１の下側先端部分との距離が所定以下になると、第２付勢部材６２は第１出付勢位置に向けて時計回りに揺動し付勢力を放出する。第２付勢部材６２に付勢された第２伝達部材２は、下側先端部分を下方に向ける。第２付勢部材６２に付勢された第１伝達部材１は、下側先端部分を上方に向ける。そして、第１伝達部材１と第２伝達部材２とは、案内部材８によって相対的に位置決めされつつ移動する。
【００４５】
第２伝達部材２が下方に移動すると、第２伝達部材２に押圧された第２連絡部材７２はさらに時計回りに回動する。このため、第２連絡部材７２の第２押圧面７２０は、第１付勢部材６１のスライド端部６１０をさらに左方に押圧する。スライド端部６１０は、第１連絡部材７１の第１押圧面７１０を左方に押圧する。このため、第１連絡部材７１は枢支軸を中心に時計回りに回動し、第１伝達部材１は上動する。
【００４６】
スライド端部６１０が所定位置よりも左方に移動すると、第１付勢部材６１は閉付勢位置に向けて時計回りに回動し、付勢力を放出する。第１付勢部材６１に付勢された蓋駆動部材５は、枢支軸を中心として時計回りに回動する。このため、第２蓋体３２は反時計回りに回動し、第１蓋体３１は時計回りに回動する。したがって、第１蓋体３１および第２蓋体３２は、開位置から閉位置に向けて移動する。
【００４７】
駆動ガイド溝５００の端壁がストッパ５２と係合すると、蓋駆動部材５の回動が停止する。このとき蓋駆動部材５は閉駆動位置に配置される。そして、第１蓋体３１および第２蓋体３２は、閉位置に配置され、収容空間９３を閉じる。第１付勢部材６１と第２付勢部材６２とに付勢された第１伝達部材１は、出位置に配置される。押圧操作部材４に押圧され、第２付勢部材６２に付勢された第２伝達部材２は、入位置に配置される。押圧操作部材４は、第３付勢部材（図略）に付勢されて、押圧開始位置に移動する。第２伝達部材２の下側先端部分は、第１伝達部材１の下側先端部分よりも下方に配置される（図２）。
【００４８】
実施例１の開閉装置は、押圧操作部材４と第１伝達部材１と第２伝達部材２と駆動手段との協働によって、第１伝達部材１と第２伝達部材２とを交互に出位置に配置できる。詳しくは、駆動手段は、第１伝達部材１の出位置から入位置への移動に伴って、蓋体３を閉位置から開位置に移動させ、かつ、第２伝達部材２を入位置から出位置に移動させる。また、駆動手段は、第２伝達部材２の出位置から入位置への移動に伴って、蓋体３を開位置から閉位置に移動させ、かつ、第１伝達部材１を入位置から出位置に移動させる。このため１つの押圧操作部材４によって、第１伝達部材１と第２伝達部材２とを交互に押圧して出位置から入位置に移動させ、蓋体３を開閉操作できる。よって、実施例１の開閉装置によると、１つの押圧操作部材４で蓋体３を開閉操作できる。
【００４９】
また、実施例１の開閉装置では、第１伝達部材１と第２伝達部材２とを押圧操作部材４の移動領域内に交互に配置する。したがって、押圧操作部材４は第１伝達部材１と第２伝達部材２とを直接押圧する。したがって、押圧操作部材４に加わった力は、第１伝達部材１および第２伝達部材２に直接伝達する。よって、実施例１の開閉装置は蓋体３を信頼性高く開閉操作できる。
【００５０】
さらに、第１蓋体３１および第２蓋体３２は、ターンオーバースプリングからなる第１付勢部材６１によって、開位置または閉位置に付勢される。そして、第１伝達部材１を入位置に向けて移動させる際には、第１付勢部材６１が第２連絡部材７２を介して第２伝達部材２を出位置に付勢する。第２伝達部材２を入位置に向けて移動させる際には、第１付勢部材６１が第１連絡部材７１を介して第１伝達部材１を出位置に付勢する。このため、実施例１の開閉装置における駆動手段は簡単な構成であり、かつ、蓋体３を信頼性高く開閉操作できる。
【００５１】
さらに、実施例１の開閉装置では、第１伝達部材１は第１連絡部材７１に枢支され、第２伝達部材２が第２連絡部材７２に枢支されている。このため、第１伝達部材１および第２伝達部材２の移動領域は小さい。よって実施例１の開閉装置は小型である。
【００５２】
さらに、第１伝達部材１および第２伝達部材２は、案内部材８によっても位置決めされるため、精度高く位置決めされる。さらに、案内部材８が回動して第１伝達部材１と第２伝達部材２との位置ズレを吸収するため、第１伝達部材１および第２伝達部材２はさらに精度高く位置決めされる。このため、実施例１の開閉装置は蓋体３を信頼性高く開閉操作できる。
【００５３】
（実施例２）
実施例２の開閉装置は、上記構成（１）を備える。実施例２の開閉装置は、第１伝達部材と第１連絡部材とが一体化されていること、第２伝達部材と第２連絡部材とが一体化されていること、第２付勢部材を持たないこと、および、案内部材を持たないこと以外は実施例１の開閉装置と同じものである。実施例２の開閉装置の動作を模式的に表す説明図を図９〜図１２に示す。以下、実施例２において時計回り、反時計回りとは、図９における時計回り、反時計回りを指す。
【００５４】
実施例２の開閉装置は、第１蓋体３１と、第２蓋体３２と、押圧操作部材４と、第１伝達部材１と、第２伝達部材２と、駆動手段と、を持つ。第１蓋体３１、第２蓋体３２、および、押圧操作部材４は実施例１の開閉装置と同じものである。駆動手段は、蓋駆動部材５と、第１付勢部材６１とを持つ。第１伝達部材１の略中央部および第２伝達部材２の略中央部は、図略のケース体に枢支されている。第１伝達部材１の下端部は、実施例１の開閉装置における第１連絡部材７１と同様に、第１付勢部材６１のスライド端部６１０に向けて延びる。第２伝達部材２の下端部は、実施例１の開閉装置における第２連絡部材７２と同様に、第１付勢部材６１のスライド端部６１０に向けて延びる。第１伝達部材１の下側端面は、第１押圧面７１０を構成する。第２伝達部材２の下側端面は、第２押圧面７２０を構成する。第１押圧面７１０と第２押圧面７２０とは、第１付勢部材６１のスライド端部６１０を挟んで、互いに対向している。
【００５５】
実施例２の開閉装置は、以下のように動作する。
【００５６】
（１．蓋体の開操作）
図９に示すように、第１蓋体３１および第２蓋体３２が閉位置に配置され、押圧操作部材４が押圧開始位置に配置されている時には、第１伝達部材１は出位置に配置され、第２伝達部材２は入位置に配置されている。蓋駆動部材５は閉駆動位置に配置され、第１付勢部材６１は閉付勢位置に配置されている。
【００５７】
このとき、押圧操作部材４を下方に押圧すると、図１０に示すように、押圧操作部材４の移動領域内に配置されている第１伝達部材１が、押圧操作部材４に押圧される。すると、第１伝達部材１は、枢支軸を中心として反時計回りに回動する。
【００５８】
第１伝達部材１が反時計回りに回動すると、第１押圧面７１０が第１付勢部材６１のスライド端部６１０を右方に押圧する。スライド端部６１０は、蓋駆動部材５の長溝５１０を右方にスライドする。このため、第１付勢部材６１は圧縮して付勢力を蓄積する。
【００５９】
押圧操作部材４を図１０に示す位置よりもさらに下方に押圧すると、第１伝達部材１は、枢支軸を中心としてさらに反時計回りに回動する。すると、第１押圧面７１０がスライド端部６１０をさらに右方に押圧する。スライド端部６１０は、第２伝達部材２の第２押圧面７２０を右方に押圧する。このため、第２伝達部材２は枢支軸を中心に反時計回りに回動する。
【００６０】
スライド端部６１０が所定位置よりも右方に移動すると、図１１に示すように、第１付勢部材６１は開付勢位置に向けて時計回りに回動し、付勢力を放出する。第１付勢部材６１に付勢された蓋駆動部材５は反時計回りに回動し、第１蓋体３１は時計回りに回動し、第２蓋体３２は反時計回りに回動する。すなわち、第１蓋体３１および第２蓋体３２は開位置に向けて移動して収容空間を開く。第１付勢部材６１に付勢された第２伝達部材２は、出位置に配置される。押圧操作部材４に押圧された第１伝達部材１は、入位置に配置される。押圧操作部材４は、第３付勢部材に付勢されて、押圧開始位置に移動する。
【００６１】
（２．蓋体の閉操作）
図１１に示すように、第１蓋体３１および第２蓋体３２が開位置に配置され、押圧操作部材４が押圧開始位置に配置されている時に、押圧操作部材４を下方に押圧すると、図１２に示すように、押圧操作部材４の移動領域内に配置されている第２伝達部材２が、押圧操作部材４に押圧されて時計回りに回動する。
【００６２】
第２伝達部材２が時計回りに回動すると、第２伝達部材２の第２押圧面７２０が第１付勢部材６１のスライド端部６１０を左方に押圧する。したがって、スライド端部６１０は蓋駆動部材５の長溝５１０を左方にスライドし、第１付勢部材６１は圧縮して付勢力を蓄積する。
【００６３】
押圧操作部材４を図１２に示す位置よりもさらに下方に押圧すると、第２伝達部材２はさらに時計回りに回動する。このため、第２伝達部材２の第２押圧面７２０は、第１付勢部材６１のスライド端部６１０をさらに左方に押圧する。そして、スライド端部６１０は第１伝達部材１の第１押圧面７１０を左方に押圧する。このため、第１伝達部材１は時計回りに回動する。
【００６４】
スライド端部６１０が所定位置よりも左方に移動すると、第１付勢部材６１は閉付勢位置に向けて時計回りに回動し、付勢力を放出する。第１付勢部材６１に付勢された蓋駆動部材５は時計回りに回動する。このため、第２蓋体３２は反時計回りに回動し、第１蓋体３１は時計回りに回動する。したがって、第１蓋体３１および第２蓋体３２は閉位置に向けて移動して収容空間９３を閉じる。このとき蓋駆動部材５は閉駆動位置に配置される。第１付勢部材６１に付勢された第１伝達部材１は、出位置に配置される。押圧操作部材４に押圧された第２伝達部材２は、入位置に配置される。押圧操作部材４は、第３付勢部材に付勢されて、押圧開始位置に移動する（図９）。
【００６５】
実施例２の開閉装置は、第１伝達部材１の一部と第２伝達部材２の一部とが駆動手段の一部を構成している。換言すると、駆動手段の一部が第１伝達部材１と第２伝達部材２とに一体化している。このような実施例２の開閉装置であっても、押圧操作部材４と第１伝達部材１と第２伝達部材２と駆動手段との協働によって、第１伝達部材１と第２伝達部材２とを交互に出位置に配置できる。このため１つの押圧操作部材４によって、第１伝達部材１と第２伝達部材２とを交互に押圧して出位置から入位置に移動させ、蓋体３を開閉操作できる。よって、実施例２の開閉装置によると、１つの押圧操作部材４で蓋体３を開閉操作できる。
【００６６】
実施例１〜２の開閉装置は２つの蓋体３（第１蓋体３１、第２蓋体３２）を持つが、本発明の開閉装置における蓋体３は１つのみであっても良い。実施例１〜２の開閉装置では、蓋体３が回動して収容空間を開閉するが、その他の方法で収容空間を開閉しても良い。例えば、蓋体３はスライド移動して収容空間を開閉しても良い。この場合には、蓋体３にラックを形成し、このラックとギヤ部５０とを噛合わせればよい。
【００６７】
押圧操作部材４は上下動するものに限らない。例えば、押圧操作部材４として左右方向や前後方向にスライド移動するものを用いても良い。この場合には、第１伝達部材１、第２伝達部材２、および駆動手段を、押圧操作部材４の移動方向に沿って配設すれば良い。
【００６８】
駆動手段は、第１伝達部材１の出位置から入位置への移動に伴って蓋体３を閉位置から開位置に移動させるとともに第２伝達部材２を入位置から出位置に移動させ、かつ、第２伝達部材２の出位置から入位置への移動に伴って蓋体３を開位置から閉位置に移動させるとともに第１伝達部材１を入位置から出位置に移動させ得るものであれば良く、実施例１〜２の構造に限定されない。例えば、ラックアンドピニオン機構や複数のギヤ群によって、蓋体３、第１伝達部材１および第２伝達部材２をこのように動作させても良い。
【図面の簡単な説明】
【００６９】
【図１】実施例１の開閉装置の主要構成部材を模式的に表す分解斜視図である。
【図２】実施例１の開閉装置の動作を模式的に表す説明図である。
【図３】実施例１の開閉装置の動作を模式的に表す説明図である。
【図４】実施例１の開閉装置の動作を模式的に表す説明図である。
【図５】実施例１の開閉装置の動作を模式的に表す説明図である。
【図６】実施例１の開閉装置の動作を模式的に表す説明図である。
【図７】実施例１の開閉装置の動作を模式的に表す説明図である。
【図８】実施例１の開閉装置の動作を模式的に表す説明図である。
【図９】実施例２の開閉装置の動作を模式的に表す説明図である。
【図１０】実施例２の開閉装置の動作を模式的に表す説明図である。
【図１１】実施例２の開閉装置の動作を模式的に表す説明図である。
【図１２】実施例２の開閉装置の動作を模式的に表す説明図である。
【符号の説明】
【００７０】
１：第１伝達部材          ２：第２伝達部材
３：蓋体                  ４：押圧操作部材
５：蓋駆動部材            ８：案内部材
１０：第１案内ピン        ２０：第２案内ピン
３１：第１蓋体            ３２：第２蓋体
６１：第１付勢部材        ６２：第２付勢部材
７１：第１連絡部材        ７２：第２連絡部材
８１：第１案内溝          ８２：第２案内溝
９０：ケース体            ９３：収容空間
【図１】
2009143375.tif 000003
【図２】
2009143375.tif 000004
【図３】
2009143375.tif 000005
【図４】
2009143375.tif 000006
【図５】
2009143375.tif 000007
【図６】
2009143375.tif 000008
【図７】
2009143375.tif 000009
【図８】
2009143375.tif 000010
【図９】
2009143375.tif 000011
【図１０】
2009143375.tif 000012
【図１１】
2009143375.tif 000013
【図１２】
2009143375.tif 000014